(57)【要約】【課題】エレベータを利用する時点で、建築物の各階の鍵を取りにいくか否かを判断することができるエレベータシステムを提供する。【解決手段】エレベータの設けられた建築物の各階が、各階毎に対応した階情報が書き込まれた鍵によって施錠されているか否かを判断する管理装置と、エレベータのかご及び乗場の少なくとも一方の操作盤近傍に設けられ、操作盤近傍に存在する鍵の階情報を読み取る読取装置と、操作盤に入力された行先階が管理装置に施錠されていると判断されている場合は、読取装置が前記行先階に対応した前記階情報を読み取っているか否かに基づいて、行先階を登録するか否かを判断する制御装置と、を備えた。【選択図】図１
2011063414.tif 000002
【特許請求の範囲】
【請求項１】
エレベータの設けられた建築物の各階が、前記各階毎に対応した階情報が書き込まれた鍵によって施錠されているか否かを判断する管理装置と、
前記エレベータのかご及び乗場の少なくとも一方の操作盤近傍に設けられ、前記操作盤近傍に存在する前記鍵の前記階情報を読み取る読取装置と、
前記操作盤に入力された行先階が前記管理装置に施錠されていると判断されている場合は、前記読取装置が前記行先階に対応した前記階情報を読み取っているか否かに基づいて、前記行先階を登録するか否かを判断する制御装置と、
を備えたことを特徴とするエレベータシステム。
【請求項２】
前記制御装置は、前記操作盤に入力された前記行先階が前記管理装置に施錠されていると判断されているときに、前記読取装置が前記行先階に対応した前記階情報を読み取っていない場合は、前記行先階が入力された階での前記かごの停止を維持することを特徴とする請求項１記載のエレベータシステム。
【請求項３】
前記読取装置の設置された前記かご又は前記乗場に設けられ、前記操作盤に入力された前記行先階が前記管理装置に施錠されていると判断されているときに、前記読取装置が前記行先階に対応した前記階情報を読み取っていない場合は、前記行先階が施錠されている旨を通知する通知装置、
を備えたことを特徴とする請求項１又は請求項２に記載のエレベータシステム。
【発明の詳細な説明】
【技術分野】
【０００１】
この発明は建築物のセキュリティを維持するエレベータシステムに関するものである。
【背景技術】
【０００２】
ビル等の建築物のセキュリティを維持するエレベータシステムとして、建築物の各部屋毎に設けられたＩＤ判別装置より各階の無人状態を検出し、その検出結果に基づいて無人階のエレベータサービスを所定時間禁止するサービス禁止手段と、建築物の通用口に設けられたＩＤ判別装置によるＩＤ判別結果に基づいてサービスが禁止されたエレベータサービスを所定時間生かすサービス活性手段とを設けた防犯システムが提案されている。
【先行技術文献】
【特許文献】
【０００３】
【特許文献１】特開平１−３１２１８３号公報
【発明の概要】
【発明が解決しようとする課題】
【０００４】
しかし、引用文献１に記載の防犯システムでは、特定の階が物理的に施錠されて無人の場合も、建築物の通用口でＩＤ判別されれば、鍵を持っていない者でもエレベータで特定の階に行くことができてしまう。このため、特定の階が施錠されていた場合、ＩＤ判別された利用者は、エレベータで特定の階まで移動して、特定の階が施錠されていることに気付いた後、エレベータで鍵の保管階まで戻らなければならないという問題があった。
【０００５】
この発明は、上述のような課題を解決するためになされたもので、その目的は、エレベータを利用する時点で、建築物の各階の鍵を取りにいくか否かを判断することができるエレベータシステムを提供することである。
【課題を解決するための手段】
【０００６】
この発明に係るエレベータシステムは、エレベータの設けられた建築物の各階が、前記各階毎に対応した階情報が書き込まれた鍵によって施錠されているか否かを判断する管理装置と、前記エレベータのかご及び乗場の少なくとも一方の操作盤近傍に設けられ、前記操作盤近傍に存在する前記鍵の前記階情報を読み取る読取装置と、前記操作盤に入力された行先階が前記管理装置に施錠されていると判断されている場合は、前記読取装置が前記行先階に対応した前記階情報を読み取っているか否かに基づいて、前記行先階を登録するか否かを判断する制御装置と、を備えたものである。
【発明の効果】
【０００７】
この発明によれば、エレベータを利用する時点で、建築物の各階の鍵を取りにいくか否かを判断することができる。
【図面の簡単な説明】
【０００８】
【図１】この発明の実施の形態１におけるエレベータシステムのブロック図である。
【図２】この発明の実施の形態１におけるエレベータシステムに利用されるビル施錠情報を説明するための図である。
【図３】この発明の実施の形態１におけるエレベータシステムによるＩＤタグ情報の読取方法を説明するための図である。
【図４】この発明の実施の形態１におけるエレベータシステムの動作を説明するためのフローチャートである。
【図５】この発明の実施の形態２におけるエレベータシステムの動作を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるエレベータシステムのブロック図である。
図１において、１は建築物である。この建築物１は、１階からｎ階の複数階からなる。そして、建築物１の各階には、施錠装置２が設けられている。この施錠装置２は、各階の施錠及び解錠に利用されるものである。３はフロア解錠鍵である。フロア解錠鍵３は、各階の施錠装置２専用に複数用意される。即ち、各階の施錠装置２は、各階に対応したフロア解錠鍵３のみで、施錠及び解錠がなされるようになっている。
【００１１】
かかる建築物１には、エレベータが設けられる。このエレベータは、建築物１の各階間を移動するものである。このエレベータの乗場は、各階の施錠装置２の手前に配置される。即ち、各階の施錠装置２が施錠されている場合は、エレベータの乗場から各階の利用スペースに進入することができないようになっている。一方、各階の施錠装置２が解錠されている場合は、エレベータの乗場から各階の利用スペースに進入することができるようになっている。
【００１２】
４は行先操作盤である。この行先操作盤４は、エレベータのかご及び乗場に設けられる。この行先操作盤４は、エレベータの利用者により行先階等が入力されるものである。５はエレベータ制御機構である。このエレベータ制御機構５は、行先操作盤４に接続される。このエレベータ制御機構５は、エレベータの制御を行う制御装置として機能する。例えば、エレベータ制御機構５は、行先操作盤４への行先階の入力結果に基づいて、行先階の登録を行う等、エレベータの運行全体を制御する。
【００１３】
６は表示装置である。この表示装置６は、行先操作盤４近傍でかご及び乗場に設けられる。この表示装置６は、エレベータの進行方向やかご位置等、エレベータに関する情報を表示する機能を備える。
【００１４】
本実施の形態においては、ビル管理装置７が設けられる。このビル管理装置７は、記憶装置８を備える。この記憶装置８は、各階の施錠装置２で施錠又は解錠された時点で、各階の施錠状態を示すフロア施錠・解錠情報９が入力される機能を備える。そして、記憶装置８は、これらのフロア施錠・解錠情報９をビル施錠情報として記憶する機能を備える。
【００１５】
また、各階のフロア解錠鍵３には、ＩＤタグ１０が取り付けられる。このＩＤタグ１０は、各階を示す階情報が書き込まれている。具体的には、ＩＤタグ１０には、どの階の施錠装置２を解錠することができる鍵であるかを判別するための階情報が含まれている。
【００１６】
さらに、行先操作盤４近傍には、ＩＤタグ読取装置１１が設けられる。具体的には、ＩＤタグ読取装置１１は、行先操作盤４下部に埋め込まれる。このＩＤタグ読取装置１１は、行先操作盤４近傍に存在するＩＤタグ１０の階情報を、ＩＤタグ１０と接触することなく読み取る機能を備える。そして、ＩＤタグ読取装置１１は、読み取っているＩＤタグ１０の階情報を識別情報１２としてエレベータ制御機構５に出力する機能を備える。
【００１７】
加えて、エレベータ制御機構５には、登録装置１３が設けられる。この登録装置１３は、ＩＤタグ読取装置１１が出力している間だけ、識別情報１２をＩＤタグ１０の階情報として一時的に記憶する機能を備える。
【００１８】
かかる構成のエレベータシステムにおいては、エレベータ制御機構５は、行先操作盤４に入力された行先階に対応するフロア施錠照会情報１４をビル管理装置７に出力する。このフロア施錠照会情報１４に基づいて、ビル管理装置７は、記憶装置８内のビル施錠情報から、行先階に対応するフロア施錠応答情報１５をエレベータ制御機構５に出力する。
【００１９】
このフロア施錠応答情報１５が行先階の施錠を示している場合、エレベータ制御機構５は、登録装置１３が行先階に対応した階情報を記憶しているか否かに基づいて、行先階を登録するか否かを判断するようになっている。
【００２０】
次に、図２及び図３を用いて、本エレベータシステムにおける行先階の登録方法を具体的に説明する。
図２はこの発明の実施の形態１におけるエレベータシステムに利用されるビル施錠情報を説明するための図である。図３はこの発明の実施の形態１におけるエレベータシステムによるＩＤタグの階情報の読取方法を説明するための図である。
【００２１】
図２には、記憶装置８に記憶されたビル施錠情報が示される。具体的には、６階建ての建築物１のビル施錠情報が記憶装置８に記憶されている。図２において、１階は、「入口階」として設定されている。図２に示すように、ビル施錠情報は、各階を示す記号に「施錠中」か「解錠中」かが対応付けられたテーブルで構成される。図２では、「入口階」、「４Ｆ」に「解錠中」が対応付けられている。一方、「２Ｆ」、「３Ｆ」、「５Ｆ」、「６Ｆ」には、「施錠中」が対応付けられている。
【００２２】
図３には、行先操作盤４の詳細が示される。図３に示すように、行先操作盤４には、各階に対応した行先階釦、戸開釦、戸閉釦が設けられる。この行先操作盤４の内部に、ＩＤタグ読取装置１１が設けられる。
【００２３】
ここで、図２の施錠・解錠状況で、各階のフロア解錠鍵３が保管されている入口階でエレベータのかごが停止している場合に、入口階で行先階を入力する場合を考える。
「解錠中」の「４Ｆ」に対応する行先階釦が押された場合、エレベータ制御機構５により、「４Ｆ」は施錠されていないと判断される。この場合は、エレベータ制御機構５により、「４Ｆ」が行先階として登録される。
【００２４】
これに対し、「施錠中」の「２Ｆ」、「３Ｆ」、「５Ｆ」、「６Ｆ」のいずれかに対応する行先階釦が押された場合は、エレベータ制御機構５により、該当階は施錠されていると判断される。この場合、押された行先階釦に対応する階のＩＤタグ１０の階情報が登録装置１３に登録されているか否かにより、当該行先階を登録するか否かが判断される。
【００２５】
ここで、利用者が行先階のフロア解錠鍵３を持っている場合を考える。この場合、利用者が行先操作盤４により行先階の入力を行うとき、利用者とともにフロア解錠鍵３が行先操作盤４近傍に位置することになる。これに伴い、フロア解錠鍵３に設けられたＩＤタグ１０も行先操作盤４近傍に位置することになる。
【００２６】
このため、ＩＤタグ読取装置１１は、行先階に対応したＩＤタグ１０の階情報を読み取ることができる。従って、登録装置１３には、行先階に対応したＩＤタグ１０の階情報が登録される。この場合、エレベータ制御機構５は、当該行先階の登録を行う。
【００２７】
次に、利用者が行先階のフロア解錠鍵３を持っていない場合を考える。この場合、利用者が行先操作盤４により行先階の入力を行うとき、利用者が行先操作盤４近傍に位置することになる。しかし、行先階のフロア解錠鍵３は、行先操作盤４近傍に位置することにならない。即ち、フロア解錠鍵３に設けられたＩＤタグ１０も、行先操作盤４近傍に位置することにならない。
【００２８】
このため、ＩＤタグ読取装置１１は、行先階に対応したＩＤタグ１０の階情報を読み取ることができない。従って、登録装置１３には、行先階に対応したＩＤタグ１０の階情報が登録されない。この場合、エレベータ制御機構５は、当該行先階の登録を行わずに、行先階の入力を無効にする。そして、エレベータ制御機構５は、入口階でのかごの停止を維持する。
【００２９】
次に、上記構成のエレベータシステムの一連の動作をより具体的に説明する。
図４はこの発明の実施の形態１におけるエレベータシステムの動作を説明するためのフローチャートである。
【００３０】
まず、ステップＳ１で、行先操作盤４の行先階釦が押され、ステップＳ２に進む。ステップＳ２では、ＩＤタグ読取装置１１でＩＤタグ１０の階情報の読み取り動作が開始され、ステップＳ３に進む。ステップＳ３では、行先階操作盤４で押された行先階釦に対応する行先階が解錠状態か否かが判定される。行先階が解錠状態の場合は、ステップＳ４に進む。ステップＳ４では、エレベータ制御機構５で行先階が登録され、エレベータが運行される。このため、利用者は、行先階に行くためにエレベータを利用することができる。
【００３１】
これに対し、ステップＳ３で行先階が施錠状態の場合は、ステップＳ５に進む。ステップＳ５では、ＩＤタグ読取装置１１でＩＤタグ１０の階情報が読み取れたか否かが判断される。ＩＤタグ１０の階情報が読み取れた場合は、ステップＳ６に進む。ステップＳ６では、ＩＤタグ１０の階情報が、行先操作盤４で押された行先階釦に対応する行先階のものか否かが判断される。
【００３２】
ＩＤタグ１０の階情報が行先階のものである場合は、ステップＳ４に進み、当該行先階の登録後、動作が終了する。これに対し、ステップＳ５でＩＤタグ読取装置１１によりＩＤタグ１０の階情報が読み取れない場合や、ステップＳ６でＩＤタグ１０の階情報が行先階のものではない場合は、ステップＳ７に進む。ステップＳ７では、行先操作盤４で押された行先階釦に対応する行先階の登録が行われず、行先階の入力が無効にされる。そして、エレベータの停止状態が維持される。このため、利用者は、行先階に行くためにエレベータを利用することができない。
【００３３】
以上で説明した実施の形態１によれば、入力された行先階が施錠状態の場合は、行先階のフロア解錠鍵３を持っていなければ、行先階を登録することができない。このため、利用者は、エレベータを利用する時点で、建築物１の各階のフロア解錠鍵３を取りにいくか否かを判断することができる。例えば、早朝１番に出社した利用者は、フロア解錠鍵３を持っていなければ、行先階釦を押しても行先階を登録することができない。このため、利用者は、フロア解錠鍵３を取りに行かなければならないことに気付く。
【００３４】
また、行先操作盤４に入力された行先階が施錠されているときに、ＩＤタグ読取装置１１が行先階に対応した階情報を読み取っていない場合は、行先階が入力された階でのかごの停止が維持される。このため、利用者は、フロア解錠鍵３を取りに戻った後、かごの到着を待つことなく、エレベータを利用することができる。
【００３５】
また、本エレベータシステムによれば、ＩＤ判別後一定時間経過した場合には通用口で再度ＩＤ判別を要するといった従来技術が抱えていた問題は発生しない。さらに、本エレベータシステムによれば、悪意ある者が施錠中の特定の階に不正目的で侵入することを防止し、建築物１のセキュリティを向上することができる。
【００３６】
実施の形態２．
図５はこの発明の実施の形態２におけるエレベータシステムの動作を説明するためのフローチャートである。なお、実施の形態１と同一又は相当部分には同一符号を付して説明を省略する。
【００３７】
実施の形態１においては、行先階を登録しない場合に行先階が施錠されている旨を積極的に通知するものではなかった。一方、実施の形態２においては、行先階を登録しない場合に行先階が施錠されている旨を積極的に通知するものである。即ち、図５に示すように、ステップＳ７で行先階を登録しないと判断された後、ステップＳ８で、表示装置６により、音声や映像を用いて、当該行先階が施錠されている旨を通知する。
【００３８】
以上で説明した実施の形態２によれば、目や耳の不自由な利用者にも行先階の施錠状態を伝えることができる。
【符号の説明】
【００３９】
１  建築物、  ２  施錠装置、  ３  フロア解錠鍵、  ４  行先操作盤、
５  エレベータ制御機構、  ６  表示装置、  ７  ビル管理装置、  ８  記憶装置、
９  フロア施錠・解錠情報、  １０  ＩＤタグ、  １１  ＩＤタグ読取装置、
１２  識別情報、  １３  登録装置、  １４  フロア施錠照会情報、
１５  フロア施錠応答情報
【図１】
2011063414.tif 000003
【図２】
2011063414.tif 000004
【図３】
2011063414.tif 000005
【図４】
2011063414.tif 000006
【図５】
2011063414.tif 000007